(57)【要約】【課題】階段や段差部分などの通過が容易であり、スーツケース自体の重量増大及び肥大化を抑制しつつ比較的広い物品収納スペースを確保することが可能なスーツケースを提供する。【解決手段】スーツケース（１００）は、物品を収納可能な略円筒形のケース本体（１０）と、ケース本体（１０）の軸心（１０ａ）方向の一方の端面に設けられた開閉蓋（１２）と、ケース本体（１０）の外周を包囲した状態でケース本体（１０）に回転自在に取り付けられた複数（一対）の円環状の回転体と、ケース本体（１０）に一体的に取り付けられた牽引用の取っ手（１８）と、ケース本体（１０）を接地面（Ｇ）上で起立姿勢に保持するためケース本体（１０）の外周に設けられた接地部材（２０）と、を備えている。【選択図】図１
2018025912.tif 000002
【特許請求の範囲】
【請求項１】
物品を収納可能なケース本体と  前記ケース本体に設けられた開閉蓋と、  前記ケース本体の外周を包囲した状態で前記ケース本体に回転自在に取り付けられた複数の円環状の回転体と、  前記ケース本体に取り付けられた牽引用の取っ手と、  前記ケース本体を起立姿勢に保持するため前記ケース本体の外周に設けられた接地部材と、を備えたスーツケース。
【請求項２】
前記ケース本体が円筒形状若しくは多角筒形状であり、前記回転体が前記ケース本体の周方向に沿って取り付けられた請求項１記載のスーツケース。
【請求項３】
前記ケース本体の軸心方向の少なくとも一方の端面に前記開閉蓋を設けた請求項２記載のスーツケース。
【請求項４】
前記ケース本体の外周面に前記開閉蓋を設けた請求項２記載のスーツケース。
【請求項５】
前記開閉蓋がファスナ若しくはヒンジを介して前記ケース本体に取り付けられた請求項１〜４のいずれかの項に記載のスーツケース。
【請求項６】
前記開閉蓋が、前記回転体の軸心と平行をなす状態で前記ケース本体に設けられた支軸を中心に回動可能に取り付けられた請求項１〜４のいずれかの項に記載のスーツケース。
【請求項７】
前記接地部材が、前記ケース本体の外周面に突設された請求項１〜６のいずれかの項に記載のスーツケース。
【請求項８】
複数の前記回転体を、前記回転体同士の間隔が接地面に向かって徐々に広がるように配置した請求項１〜７のいずれかの項に記載のスーツケース。
【請求項９】
前記ケース本体に持ち手を備えた請求項１〜８のいずれかの項に記載のスーツケース。
【請求項１０】
前記ケース本体に、前記回転体の外周を円周方向に沿って覆う泥除け用のカバーを設けた請求項１〜９のいずれかの項に記載のスーツケース。
【発明の詳細な説明】
【技術分野】
【０００１】  本発明は、建物内の床面や道路面などの上を人間が手で引っ張りながら移動させることのできるスーツケースに関する。
【背景技術】
【０００２】  人間が手で持ち上げた状態のままで移動させるタイプのスーツケースは使用者の肉体的負担が大きいので、近年、走行車輪を備えたスーツケースが数多く出回っている。しかしながら、従来の車輪付きのスーツケースは、スーツケース本体のサイズに比べ、車輪の外径が小さいので、階段の上り下りや段差の大きい場所を通過するのが困難である。【０００３】  このような問題を解決するため、従来の車輪よりも外径の大きな車輪を備えたスーツケースが提案されている（例えば、特許文献１，２参照）。特許文献１記載のスーツケースは、従来の車輪よりも外径の大きな車輪の両側面に収納函を備えたものである。また、特許文献２記載のスーツケースは、収納函の両側面にそれぞれ外径の大きな車輪を備えたものである。【０００４】  特許文献１，２に記載されたスーツケースは、階段の高さより大きな外径を有する車輪を備えているので、階段の上り下りは容易化されることが推測できる。しかしながら、特許文献１の図１〜図３に記載された１車輪方式のスーツケースは移動中の安定性に欠ける面がある。【０００５】  一方、特許文献１の図４〜図６に記載されたスーツケースあるいは特許文献２に記載されたスーツケースは収納函の両側面に車輪が設けられているので、安定性は向上しているが、直径の大きな２つの車輪が収納函の両側面に存在していることにより、スーツケース自体の重量増大や肥大化を招いている。【０００６】  そこで、図３１に示すような、丸型のスーツケース７００が提案されている。図３１に示すスーツケース７００は、「Ｓａｍｓｏｎｉｔｅ社」の「Ｓａｍｓｏｎｉｔｅ ＯＢＡＧ」と称されるものである。【０００７】  このスーツケース７００は、短い円筒形状をした二つのケース本体７０１，７０２と、ケース本体７０１，７０２の間の隙間Ｇから突出状に設けられたキャリーハンドル７０３と、ケース本体７０１，７０２の外周にそれぞれの円周方向に沿って回転可能に設けられたリング状の回転体７０５，７０６と、を備えている。【０００８】  また、スーツケース７００を接地面上にて所定の起立姿勢に保持するための支持部材７０４が、ケース本体７０１，７０２の間の隙間Ｇから接地面に向かって出し入れ可能に設けられている。ケース本体７０１の外側面には、ケース本体７０１への物品出入口（図示せず）を開閉するための蓋体７０８と、蓋体７０８を開閉操作するための把持部７０９が設けられている。図示していないが、ケース本体７０１の外側面と同様、ケース本体７０２の外側面にも、ケース本体７０２への物品出入口を開閉するための蓋体と、蓋体を開閉操作するための把持部が設けられている。【０００９】  スーツケース７００を使用する場合、従来の車輪付きのスーツケースと同様、使用者がキャリーハンドル７０３のグリップ部７０７を片手で把持して、意図する方向へ歩行すれば、接地面に接地した状態にある二つの回転体７０５，７０６が、ケース本体７０１，７０２の周りで回転しながら、使用者の後についてくるので、スーツケース７００を容易に移動させることができる。【００１０】  スーツケース７００は、特許文献１，２に記載されたスーツケースが具備する車輪よりも、外径の大きな回転体７０５，７０６がケ��ス本体７０１，７０２の周りに設けられているので、特許文献１，２に記載されたスーツケースなどに比べ、階段や段差部分などの通過が容易である。また、回転体７０５，７０６はリング状であるため、スーツケースの重量増大や肥大化も、ある程度抑制することができると推測される。
【先行技術文献】
【特許文献】
【００１１】
【特許文献１】特開２０１０−９４４８９号公報
【特許文献２】特開２０１１−１７７４８４号公報
【発明の概要】
【発明が解決しようとする課題】
【００１２】  前述したように、図３１に示すスーツケース７００は、従来の一般的な車輪付きのスーツケースあるいは特許文献１，２に記載されたスーツケースの車輪に比べると、外径の大きな回転体７０５，７０６を備えているので、階段や段差部分の上り下りは容易化され、走行時の騒音も軽減すると推測される。【００１３】  しかしながらが、二つのケース本体７０１，７０２の間の全周に亘って隙間Ｇが設けられ、この隙間Ｇにキャリーハンドル７０３の基端部（図示せず）が回動可能に配置されており、その占有スペースが大きいので、スーツケース７００全体のサイズが大型であるのに比べ、ケース本体７０１，７０２内の物品収納スペースが狭いという問題がある。【００１４】  また、走行時の補助車輪付きスーツケースにおいては、階段や段差部分などを容易に通過できることや、スーツケース自体の軽量化や肥大化を抑制することなどは、従来のみならず今後も解決すべき重要な課題である。【００１５】  しかしながら、従来の補助車輪付きスーツケースは、階段や段差部分などの容易通過性や、スーツケース自体の軽量化や肥大化抑制などについて、満足できるレベルに到達していないのが実状である。【００１６】  そこで、本発明が解決しようとする課題は、階段や段差部分などの通過が容易であり、スーツケース自体の重量増大及び肥大化を抑制しつつ比較的広い物品収納スペースを確保することが可能なスーツケースを提供することにある。
【課題を解決するための手段】
【００１７】  本発明のスーツケースは、  物品を収納可能なケース本体と  前記ケース本体に設けられた開閉蓋と、  前記ケース本体の外周を包囲した状態で前記ケース本体に回転自在に取り付けられた複数の円環状の回転体と、  前記ケース本体に一体的に取り付けられた牽引用の取っ手と、  前記ケース本体を起立姿勢に保持するため前記ケース本体の外周に設けられた接地部材と、を備えたことを特徴とする。【００１８】  ここで、前記スーツケースにおいては、前記ケース本体が円筒形状若しくは多角筒形状であり、前記回転体が前記ケース本体の周方向に沿って取り付けられたものであることが望ましい。【００１９】  また、前記スーツケースにおいては、前記ケース本体の軸心方向の少なくとも一方の端面に前記開閉蓋を設けることができる。【００２０】  また、前記スーツケースにおいては、前記ケース本体の外周面に前記開閉蓋を設けることもできる。【００２１】  さらに、前記スーツケースにおいては、前記開閉蓋はファスナ若しくはヒンジを介して前記ケース本体に取り付けることができる。【００２２】  また、前記スーツケースにおいては、前記開閉蓋が、前記回転体の軸心と平行をなす状態で前記ケース本体に設けられた支軸を中心に回動可能に取り付けることもできる。【００２３】  一方、前記スーツケースにおいて、前記接地部材は、前記ケース本体の外周面に突設することができる。【００２４】  さらに、前記スーツケースにおいては、複数の前記回転体を、前記回転体同士の間隔が接地面に向かって徐々に広がるように配置することもできる。【００２５】  また、前記スーツケースにおいては、前記ケース本体に、当該スーツケースを持ち上げるための持ち手を設けることもできる。【００２６】  また、前記スーツケースにおいては、前記ケース本体に、前記回転体の外周を円周方向に沿って覆う泥除け用のカバーを設けることもできる。
【発明の効果】
【００２７】  本発明により、階段や段差部分などの通過が容易であり、走行時の騒音が小さく、比較的広い物品収納スペースを確保することが可能なスーツケースを提供することができる。
【図面の簡単な説明】
【００２８】
【図１】本発明の実施形態であるスーツケースを示す右側面図である。
【図２】図１に示すスーツケースの左側面図である。
【図３】図１に示すスーツケースの正面図である。
【図４】図１に示すスーツケースの背面図である。
【図５】図１中の矢線Ａ方向から見たスーツケースの平面図である。
【図６】図１中の矢線Ｂ方向から見たスーツケースの底面図である。
【図７】図５中のＣ−Ｃ線におけるスーツケースの断面図である。
【図８】図１に示すスーツケースの移動中の状態を示す右側面図である。
【図９】本発明のその他の実施形態であるスーツケースを示す右側面図である。
【図１０】図９に示すスーツケースの左側面図である。
【図１１】図９に示すスーツケースの正面図である。
【図１２】図９に示すスーツケースの背面図である。
【図１３】図９中の矢線Ｄ方向から見たスーツケースの平面図である。
【図１４】図９中の矢線Ｅ方向から見たスーツケースの底面図である。
【図１５】図１３中のＦ−Ｆ線におけるスーツケースの断面図である。
【図１６】本発明のその他の実施形態であるスーツケースを示す右側面図である。
【図１７】図１６に示すスーツケースの左側面図である。
【図１８】図１６に示すスーツケースの正面図である。
【図１９】図１６に示すスーツケースの背面図である。
【図２０】図１６中の矢線Ｇ方向から見たスーツケースの平面図である。
【図２１】図１６中の矢線Ｈ方向から見たスーツケースの底面図である。
【図２２】図２０中のＪ−Ｊ線におけるスーツケースの断面図である。
【図２３】図１６に示すスーツケースの開閉蓋の開閉状態を示す右側面図である。
【図２４】本発明のその他の実施形態であるスーツケースの右側面図である。
【図２５】図２４に示すスーツケースの左側面図である。
【図２６】図２４に示すスーツケースの正面図である。
【図２７】図２４に示すスーツケースの背面図である。
【図２８】図２４中の矢線Ｋ方向から見たスーツケースの平面図である。
【図２９】図２４中の矢線Ｌ方向から見たスーツケースの底面図である。
【図３０】図２８中のＭ−Ｍ線におけるスーツケースの断面図である。
【図３１】従来の丸型スーツケースを示す斜視図である。
【図３２】本発明のその他の実施形態であるスーツケースを示す右側面図である。
【図３３】図３２に示すスーツケースが開閉蓋を開いた状態にあるときの右側面図である。
【発明を実施するための形態】
【００２９】  以下、図１〜図３０及び図３２，図３３に基づいて、本発明の実施形態であるスーツケース１００，２００，３００，４００，５００について説明する。なお、スーツケース２００，３００，４００，５００において、スーツケース１００の構成部分と共通する構造、機能を有する部分については、図９〜図３０，図３１，図３３中において、図１〜図８中の符号と同符号を付して説明を省略する。また、以下の説明においては、図８における矢線Ｓ方向（スーツケースを引っ張る方向）を前方（または正面側）と称し、矢線Ｓ方向と１８０度反対側を後方（または背面側）と称している。
【００３０】  図１〜図８に基づいて、スーツケース１００について説明する。図１〜図６に示すように、スーツケース１００は、物品を収納可能な略円筒形状のケース本体１０と、ケース本体１０の軸心１０ａ方向の一方の端面に設けられた開閉蓋１２と、ケース本体１０の外周を包囲した状態でケース本体１０に回転自在に取り付けられた複数（一対）の円環状の回転体１４，１６と、ケース本体１０に一体的に取り付けられた牽引用の取っ手１８と、ケース本体１０を接地面Ｇ上で起立姿勢に保持するためケース本体１０の外周に設けられた接地部材２０と、を備えている。接地部材２０は、平面視形状が楕円形の部材であり、ケース本体１０の外周面より突出した位置に、前記外周面の接線方向と平行な平面状の接地部２０ａを有している。
【００３１】  図３，図４に示すように、一対の回転体１４，１６はケース本体１０の円周方向に沿って互いに平行をなすように取り付けられている。回転体１４，１６とケース本体１０との間にはそれぞれ全周に亘ってベアリング２９（図７参照）が配置されている。ケース本体１０に対して回転体１４，１６はそれぞれ独立して回転自在である。
【００３２】  図３，図４に示すように、開閉蓋１２はケース本体１０の一方の端面にファスナ２２を介して取り付けられている。また、図１に示すように、開閉蓋１２には、ファスナ２２を施錠するためのロック機構２４が設けられている。開閉蓋１２の外面にはロゴマークなどを付すための表示部２６が設けられている。
【００３３】  取っ手１８は、把持部１８ａ及び２本の支柱１８ｂで形成されている。２本の支柱１８ｂは、ケース本体１０の外周に設けられた凹状の取っ手収納部２８内から起立状に取り付けられ、その上端部同士を連接するように把持部１８ａが設けられている。２本の支柱１８ｂは伸縮可能であり、支柱１８ｂを収縮させることにより、取っ手１８を取っ手収納部２８内に収納することができる。
【００３４】  ケース本体１０の外周面において、接地部材２０から軸心１０ａ周りに１８０度離れた位置には、スーツケース１００を持ち上げるための、ベルト状の持ち手３０が設けられている。
【００３５】  図７に示すように、ケース本体１０の内部には、隔壁３２によって区画された二つの収納スペース３４，３６が設けられている。なお、図７に示すケース本体１０の内部の区画形態は一例であり、これに限定するものではないので、隔壁３２なしの形態としたり、隔壁を増やして三つ以上の収納スペースを設けたりすることもできる。
【００３６】  スーツケース１００を使用する場合、まず、開閉蓋１２の反対側の端面の側壁部３８を下に向けた状態で、スーツケース１００を適当な支持面の上に載置する。この後、ロック機構２４を解除して、ファスナ２２を開けば、開閉蓋１２は開閉可能となるので、開閉蓋１２を開いて、ケース本体１０内の収納スペース３４，３６に物品を詰め込むことができる。詰め込みが終わったら、開閉蓋１２を閉じて、ファスナ２２を閉じ、ロック機構２４で施錠する。
【００３７】  この後、図１に示すように、ケース本体１０を起立させ、接地部材２０が接地面Ｇに当接した状態にすると、スーツケース１００は、取っ手１８が直立し、持ち手３０がケース本体１０の最上部に位置した姿勢で保持される。このとき、回転体１４，１６は接地面Ｇから離れた状態に保持される。
【００３８】  スーツケース１００を移動させる場合は、図８に示すように、取っ手１８の把持部１８ａを手で把持して、接地部材２０が接地面Ｇから離れるところまで傾斜させると、回転体１４，１６が接地面Ｇに当接するので、この傾斜姿勢を保ったまま取っ手１８を進行方向に向かって引っ張ると、回転体１４，１６が回転し、スーツケース１００を楽に移動させることができる。
【００３９】  スーツケース１００の移動を止めるときは、再び、図１に示すように、ケース本体１０を起立させ、接地部材２０の接地部２０ａが接地面Ｇに当接した状態にすれば、スーツケース１００はその姿勢で保持される。このとき、回転体１４，１６は接地面Ｇから離れた状態にあるので、スーツケース１００が勝手に転がっていくのを防止することができる。
【００４０】  スーツケース１００に設けられた回転体１４，１６は外径が大きいので、階段や段差部分などの通過が容易であり、走行時の騒音も小さい。また、スーツケース１００のケース本体１０は一体構造であるため、図３１に示すスーツケース７００と比較すると、広い物品収納スペースを確保することができる。
【００４１】  次に、図９〜図１５に基づいて、スーツケース２００について説明する。図９〜図１５に示すように、スーツケース２００においては、略円筒形状のケース本体４０の軸心４０ａ方向の両方の端面にそれぞれ開閉蓋４１，４２が設けられている。開閉蓋４１，４２はそれぞれケース本体４０に対しヒンジ部４３，４４を介して開閉可能に設けられている。開閉蓋４１，４２には、それぞれ開閉操作用の取っ手４５，４６及びロック機構４７，４８が設けられている。
【００４２】  また、ケース本体４０を接地面Ｇ上で起立姿勢に保持するため、ケース本体４０の外周に一対の接地部材４９，４９が設けられている。一対の接地部材４９，４９は、角の丸い略三角柱形状の部材であり、その長手方向がケース本体４０の軸心４０ａと平行をなすような状態で、ケース本体４０の外周面の周方向に離れた位置に設けられている。接地部材４９，４９の頂上部４９ａ，４９ａは、回転体１４，１６の外周より突出している。
【００４３】  スーツケース２００においては、ケース本体４０に、回転体１４，１６の外周を円周方向に沿って覆う泥除け用のカバー５１，５２が設けられている。カバー５１，５２は、図９に示すように、スーツケース２００が起立状態（停止状態）にあるとき、回転体１４，１６の上半分を覆うように形成されている。また、ケース本体４０の外周の取っ手収納部２８の下方部分（取っ手収納部２８より接地部材４９寄りの部分）に、缶やボトルなどを収納可能なカップ形状のホルダ５０が設けられている。
【００４４】  前述したように、スーツケース２００においては、ケース本体４０の軸心４０ａ方向の両方の端面にそれぞれ開閉蓋４１，４２が設けられているため、どちらの端面からでもケース本体４０へ物品の出し入れをすることができる。開閉蓋４１，４２の開閉操作は、ロック機構４７，４８を解錠し、取っ手４５，４６を手で掴んで行うことができる。
【００４５】  スーツケース２００においては、ケース本体４０の外周の円周方向に離れた位置に一対の接地部材４９，４９が設けられているため、図９に示すように、ケース本体４０を接地面Ｇ上で起立させたとき、スーツケース２００全体を安定的に保持することができる。また、ケース本体４０の外周にはホルダ５０が設けられているため、飲料水などの入った缶やボトルなどを収納することができ、便利である。
【００４６】  スーツケース２００は、回転体１４，１６の外周を円周方向に沿って覆う泥除け用のカバー５１，５２を備えているため、雨水などで濡れた場所や水溜りがあるような場所を通過するときに、回転体１４，１６が周囲に水滴や泥水などを撒き散らすのを防止することができる。スーツケース２００の使い方やその他の長所などは、図１に示すスーツケース１００と同様である。
【００４７】  次に、図１６〜図２３に基づいて、スーツケース３００について説明する。図１６〜図２３に示すように、スーツケース３００においては、略円筒形状のケース本体６０の軸心６０ａ方向の両方の端面は側壁部６１，６２で閉塞され、ケース本体６０の外周の上面部分に開閉蓋６３が設けられている。開閉蓋６３は、ケース本体６０の背面側のヒンジ部６４を介してケース本体６０に取り付けられ、持ち手３０は、開閉蓋６３の上面に取り付けられている。
【００４８】  スーツケース３００は、回転体１４，１６の外周を円周方向に沿って覆う泥除け用のカバー６８，６９を備えている。カバー６８，６９は、ケース本体６０の正面側においてケース本体６０に一体化された前方カバー部６８ａ，６９ａと、ケース本体６０の上面側及び背面側において開閉蓋６３に一体化した後方カバー部６８ｂ，６９ｂと、で形成されている。開閉蓋６３が閉止しているとき、前方カバー部６８ａ，６９ａと、後方カバー部６８ｂ，６９ｂとは、取っ手収納部２８より後方側に位置する接合部６８ｃ，６９ｃにおいて密着している。
【００４９】  図２２に示すように、スーツケース３００のケース本体６０の内部は、取っ手１８の支柱１８ｂの長手方向と平行をなす隔壁６５によって複数の収納スペース６６，６７に区画されている。また、図２３に示すように、スーツケース３００において、開閉蓋６３は持ち手３０（図２２参照）とともに、軸心６０ａと平行なヒンジ部６４を中心に回動するように開閉可能である。
【００５０】  図２３に示すように、スーツケース３００においては、ヒンジ部６４を中心に回動するように開閉蓋６３が開閉可能であるため、スーツケース３００を接地面Ｇ上に起立させた状態（接地部材４９を接地面Ｇに接触させた状態）においても、ケース本体６０に対する物品の出し入れを容易に行うことができる。スーツケース３００の使い方やその他の長所などは、図１，図９に示すスーツケース１００，２００と同様である。
【００５１】  次に、図２４〜図３０に基づいて、スーツケース４００について説明する。図２４〜図３０に示すように、スーツケース４００においては、略円筒形状のケース本体７０の軸心７０ａ方向の一方の端面に開閉蓋７１が設けられ、他方の端面は側壁部７２で閉塞されている。開閉蓋７１はケース本体７０に対しヒンジ部７３を介して開閉可能に設けられている。開閉蓋７１には、開閉操作用の取っ手７５及びロック機構７７が設けられている。
【００５２】  図２６〜図２８に示すように、スーツケース４００においては、一対の回転体１４，１６が、回転体１４，１６同士の間隔が接地面Ｇに向かって徐々に広がるように配置されている。回転体１４，１６の配置間隔は、ケース本体７０の外周面において接地部材４９，４９が設けられている部分において最も広く、ケース本体７０の外周面において周方向に沿って接地部材４９，４９から１８０度離れた部分において最も狭くなっている。
【００５３】  図２６，図２７に示すように、スーツケース４００を正面側若しくは背面側から見たとき、回転体１４，１６は「ハ」字状をなすように配置されている。また、カバー５１，５２も回転体１４，１６の「ハ」字状の傾斜姿勢に沿って配置されている。さらに、ケース本体７０の開閉蓋７１及び側壁部６１はそれぞれ回転体１４，１６の回転面（図示せず）平行をなすように形成されている。
【００５４】  図２６，図２７に示すように、スーツケース４００においては、回転体１４，１６が「ハ」字状をなすように配置されているため、牽引して移動しているときの安定性が良好であり、直進性も優れている。また、図２４に示すように、スーツケース４００が起立状態にあるときも安定性に優れている。スーツケース４００の使い方やその他の長所などは、図１，図９，図１６に示すスーツケース１００，２００，３００と同様である。
【００５５】  次に、図３２，図３３に基づいて、スーツケース５００について説明する。図３２に示すように、スーツケース５００においては、開閉蓋８１が、回転体１４，１６の軸心（ケース本体１０の軸心１０ａ）と平行をなす状態でケース本体１０に設けられた支軸８０を中心に矢線Ｒの方向に回動可能に取り付けられている。支軸８０を中心とする開閉蓋８１の回動範囲は限定しないが、スーツケース５００においては、開閉蓋８１の閉じているとき（図３２に示す状態にあるとき）から１８０度の範囲に設定している。また、開閉蓋８１には、開閉蓋８１を開く操作するためのボタン８２及び開閉蓋８１を施錠するためのロック機構２４が設けられている。
【００５６】  図３２に示すように、開閉蓋８１が閉状態にあるスーツケース５００において、ボタン８２を押圧操作すると、ケース本体１０に設けられた弾性機構（図示せず）により、開閉蓋８１が支軸８０の長手方向（軸心１０ａと平行方向）に沿ってケース本体１０から離れる方向に移動する。この後、図３３に示すように、開閉蓋８１は弾性機構により支軸８０を中心に矢線Ｒ１方向にゆっくりと回動していき、約１８０度回動した時点で止まる。これにより、開閉蓋８１は開状態（図３３に示す状態）に保持されるので、収納スペース３４，３６内への物品の装入、取り出しを行うことができる。
【００５７】  収納スペース３４，３６内への物品の出し入れが終わったら、図３３に示すように、開閉蓋８１を支軸８０中心に矢線Ｒ２方向に沿って回動させ、開閉蓋８１の中心８１ａとケース本体１０の軸心１０ａとが一致した時点で、開閉蓋８１を軸心１０ａに沿ってケース本体１０に向かって押圧すると、開閉蓋８１はケース本体１０に密着して係止される。この後、ロック機構２４で施錠すると、ボタン８２を押圧しても開閉蓋８１が開かない状態に保持される。
【００５８】  なお、図１〜図３０，図３２，図３３に基づいて説明したスーツケース１００，２００，３００，４００，５００は、本発明を例示するものであり、本発明のスーツケースは前述したスーツケース１００，２００，３００，４００，５００に限定されない。
【産業上の利用可能性】
【００５９】  本発明のスーツケースは、国内外の旅行、出張あるいはその他の荷物を伴う移動の際の物品搬送手段として広く利用することができる。
【符号の説明】
【００６０】  １０，４０，６０，７０  ケース本体  １０ａ，４０ａ，６０ａ，７０ａ  軸心  １２，４１，４２，６３，７１，８１  開閉蓋  １４，１６  回転体  １８，４５，４６，７５  取っ手  １８ａ  把持部  １８ｂ  支柱  ２０，４９  接地部材  ２０ａ  接地部  ２２  ファスナ  ２４，４７，４８，７７  ロック機構  ２６  表示部  ２８  取っ手収納部  ２９  ベアリング  ３０  持ち手  ３２，６５  隔壁  ３４，３６，６６，６７  収納スペース  ３８，６１，６２，７２  側壁部  ４３，４４，６４，７３  ヒンジ部  ４９ａ  頂上部  ５０  ホルダ  ５１，５２，６８，６９  カバー  ６８ａ，６９ａ  前方カバー部  ６８ｂ，６９ｂ  後方カバー部  ６８ｃ，６９ｃ  接合部  ８０  支軸  ８１ａ  中心  ８２  ボタン  １００，２００，３００，４００，５００  スーツケース  Ｇ  接地面  Ｒ，Ｒ１，Ｒ２  矢線
【図１】
2018025912.tif 000003
【図２】
2018025912.tif 000004
【図３】
2018025912.tif 000005
【図４】
2018025912.tif 000006
【図５】
2018025912.tif 000007
【図６】
2018025912.tif 000008
【図７】
2018025912.tif 000009
【図８】
2018025912.tif 000010
【図９】
2018025912.tif 000011
【図１０】
2018025912.tif 000012
【図１１】
2018025912.tif 000013
【図１２】
2018025912.tif 000014
【図１３】
2018025912.tif 000015
【図１４】
2018025912.tif 000016
【図１５】
2018025912.tif 000017
【図１６】
2018025912.tif 000018
【図１７】
2018025912.tif 000019
【図１８】
2018025912.tif 000020
【図１９】
2018025912.tif 000021
【図２０】
2018025912.tif 000022
【図２１】
2018025912.tif 000023
【図２２】
2018025912.tif 000024
【図２３】
2018025912.tif 000025
【図２４】
2018025912.tif 000026
【図２５】
2018025912.tif 000027
【図２６】
2018025912.tif 000028
【図２７】
2018025912.tif 000029
【図２８】
2018025912.tif 000030
【図２９】
2018025912.tif 000031
【図３０】
2018025912.tif 000032
【図３１】
2018025912.tif 000033
【図３２】
2018025912.tif 000034
【図３３】
2018025912.tif 000035
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
物品を収納可能なケース本体と
前記ケース本体に設けられた開閉蓋と、
前記ケース本体の外周を包囲した状態で前記ケース本体に回転自在に取り付けられた複数の円環状の回転体と、
前記ケース本体に取り付けられた牽引用の取っ手と、
前記ケース本体を起立姿勢に保持するため前記ケース本体の外周に設けられた接地部材と、を備え、
前記接地部材が、前記ケース本体の外周面より突出した位置に前記外周面の接線方向と平行な平面状の接地部を有する部材、または、前記ケース本体の外周面の周方向に離れた位置にその長手方向が前記ケース本体の軸心と平行をなすような状態で前記回転体の外周より突出して設けられた一対の部材であるスーツケース。
【請求項２】
前記ケース本体が円筒形状若しくは多角筒形状であり、前記回転体が前記ケース本体の周方向に沿って取り付けられた請求項１記載のスーツケース。
【請求項３】
前記ケース本体の軸心方向の少なくとも一方の端面に前記開閉蓋を設けた請求項２記載のスーツケース。
【請求項４】
前記ケース本体の外周面に前記開閉蓋を設けた請求項２記載のスーツケース。
【請求項５】
前記開閉蓋がファスナ若しくはヒンジを介して前記ケース本体に取り付けられた請求項１〜４のいずれかの項に記載のスーツケース。
【請求項６】
前記開閉蓋が、前記回転体の軸心と平行をなす状態で前記ケース本体に設けられた支軸を中心に回動可能に取り付けられた請求項１〜４のいずれかの項に記載のスーツケース。
【請求項７】
（削除）
【請求項８】
複数の前記回転体を、前記回転体同士の間隔が接地面に向かって徐々に広がるように配置した請求項１〜６のいずれかの項に記載のスーツケース。
【請求項９】
前記ケース本体に持ち手を備えた請求項１〜６，８のいずれかの項に記載のスーツケース。
【請求項１０】
前記ケース本体に、前記回転体の外周を円周方向に沿って覆う泥除け用のカバーを設けた請求項１〜６，８，９のいずれかの項に記載のスーツケース。
【手続補正２】
【補正対象書類名】明細書
【補正対象項目名】０００４
【補正方法】変更
【補正の内容】
【０００４】
前記ケース本体の外周を包囲した状態で前記ケース本体に回転自在に取り付けられた複数の円環状の回転体と、
前記ケース本体に一体的に取り付けられた牽引用の取っ手と、
前記ケース本体を起立姿勢に保持するため前記ケース本体の外周に設けられた接地部材と、を備え、
前記接地部材が、前記ケース本体の外周面より突出した位置に前記外周面の接線方向と平行な平面状の接地部を有する部材、または、前記ケース本体の外周面の周方向に離れた位置にその長手方向が前記ケース本体の軸心と平行をなすような状態で前記回転体の外周より突出して設けられた一対の部材であることを特徴とする。
［００１８］
ここで、前記スーツケースにおいては、前記ケース本体が円筒形状若しくは多角筒形状であり、前記回転体が前記ケース本体の周方向に沿って取り付けられたものであることが望ましい。
［００１９］
また、前記スーツケースにおいては、前記ケース本体の軸心方向の少なくとも一方の端面に前記開閉蓋を設けることができる。
［００２０］
また、前記スーツケースにおいては、前記ケース本体の外周面に前記開閉蓋を設けることもできる。
［００２１］
さらに、前記スーツケースにおいては、前記開閉蓋はファスナ若しくはヒンジを介して前記ケース本体に取り付けることができる。
［００２２］
また、前記スーツケースにおいては、前記開閉蓋が、前記回転体の軸心と平行をなす状態で前記ケース本体に設けられた支軸を中心に回動可能に取り付けることもできる。
［００２３］
［００２４］
さらに、前記スーツケースにおいては、複数の前記回転体を、前記回転体同士の間隔が接地面に向かって徐々に広がるように配置することもできる。
［００２５］
また、前記スーツケースにおいては、前記ケース本体に、当該スーツケースを持ち上げるための持ち手を設けることもできる。
［００２６］
また、前記スーツケースにおいては、前記ケース本体に、前記回転体の外周を円周方向に沿って覆う泥除け用のカバーを設けることもできる。
発明の効果
［００２７］
本発明により、階段や段差部分などの通過が容易であり、走行時の騒音が小さく、比較的広い物品収納スペースを確保することが可能なスーツケース
【国際調査報告】
2018025912.tif 000036
2018025912.tif 000037
2018025912.tif 000038
2018025912.tif 000039